(57)【要約】      （修正有）【課題】競技用ゴールの転倒を防止し、安定性に優れ、設置が容易な転倒防止ウエイトを提供する。【解決手段】略直方体状に設けられた本体部２と、本体部２の底面２ｂに形成され、本体部２の底面２ｂと本体部２の一側面２ｃ及び他側面２ｄとを開口して形成され、競技用ゴールのフレームと係合する係合凹部３と、本体部２の底面２ｂと対向する本体部２の上面２ａの一側面２ｃ側に形成された取手部４ａと、本体部２の他側面２ｄに形成されたキャスタ９とを備える。さらに、取手部４ａには、本体部２の上面２ａの一側面２ｃ側に、係合凹部３と連通する取手用開口部が形成され、取手用開口部と本体部２の上面２ａの一側面２ｃ側の端部との間に把持部７ａが形成され、把持部７ａの内面には、フレームに係合凹部３が係合したときに、把持部７ａの内面とフレームとの間に間隙を形成する空間部が係合凹部３と連続して形成されている。【選択図】図６
0003164268.tif 000002
【実用新案登録請求の範囲】
【請求項１】
競技用ゴールの設置面と接するフレーム上に載置され、該競技用ゴールの転倒を防止する競技用ゴール転倒防止ウェイトにおいて、
略直方体状に設けられた本体部と、
上記本体部の底面に形成され、該本体部の底面と該本体部の底面の一方の短辺側の一側面と他方の短辺側の他側面とを開口して形成され、上記競技用ゴールの上記フレームと係合する係合凹部と、
上記本体部の底面と対向する本体部の上面の上記一側面側に形成された取手部と、
上記本体部の他側面に形成されたキャスタとを備え、
上記取手部には、上記本体部の上面の上記一側面側に、上記係合凹部と連通する取手用開口部が形成され、該取手用開口部と該本体部の上面の該一側面側の端部との間に把持部が形成され、該把持部の内面には、上記フレームに該係合凹部が係合したときに、該把持部の内面と該フレームとの間に間隙を形成する空間部が該係合凹部と連続して形成されている競技用ゴール転倒防止ウェイト。
【請求項２】
上記取手部は、上記本体部の上面の上記一側面側及び上記他側面側の両側に形成されている請求項１記載の競技用ゴール転倒防止ウェイト。
【請求項３】
上記取手用開口部は、上記本体部の上面の上記一側面側及び上記他側面側の両側に設けられ、該本体部の係合凹部より幅広で平坦な平坦部に形成され、
上記本体部の底面には、上記係合凹部の周囲に支持部が設けられ、
上記平坦部には、当該競技用ゴール転倒防止ウェイトより上位に配置される他の競技用ゴール転倒防止ウェイトの他の支持部が当接され、該他の競技用ゴール転倒防止ウェイトが上側に積み上げ可能となっており、
上記支持部は、当該競技用ゴール転倒防止ウェイトより下位に配置される他の競技用ゴール転倒防止ウェイトの他の平坦部に当接し、該他の競技用ゴール転倒防止ウェイト上に積み上げ可能となっている請求項２記載の競技用ゴール転倒防止ウェイト。
【考案の詳細な説明】
【技術分野】
【０００１】
本考案は、競技用ゴールの転倒を防止する競技用ゴール転倒防止ウェイトに関する。
【背景技術】
【０００２】
競技用ゴールとして、例えばサッカーゴールがある。このサッカーゴールは、前面に位置するクロスバー及び左右のゴールポストが、これらの後方を支持する後方フレーム部材より重い構造となっている。このため、サッカーゴールは、強風等によって後方からあおられたり、その他の外力が後方から作用したりすることによって、前方に転倒するおそれがある。
【０００３】
そこで、サッカーゴールの後方フレーム部材のうちのグラウンド等の設置面に接する下フレームに、特許文献１のような複数本の杭等の固定具を打ち込んで固定する方法や、砂袋や土嚢等のウェイトを載置する方法により、サッカーゴールの転倒を防止する対策が図られている。
【０００４】
しかしながら、杭等の固定具では、複数本の杭をグラウンドに打ち込むのに時間と労力がかかる。また、杭等の固定具では、杭を打ち込む長さが短かったり、雨が続き地面が軟らかかったりすると、杭がグラウンドから抜けやすくなり、確実に転倒を防止することができるとは言えない。更に、杭等の固定具では、飛び出した杭の頭部やサッカーゴール撤去後に残ったグランドの穴に躓いて転倒するおそれがある。
【０００５】
また、砂袋や土嚢等のウェイトでは、サッカーゴールが強風やその他の外力が作用することによって揺れ動いたときに、下フレームからずれてしまい、何ら重しの役目を果たさなくなるおそれがある。更に、砂袋や土嚢等のウェイトでは、設置作業者に対して、砂袋や土嚢等のウェイトが下フレームからずれ落ちにくく、且つ、荷重が充分に下フレームに伝わるような設置作業が要求され、無造作な作業では充分な効果が得られないなどの問題点がある。
【０００６】
更に、上述したような杭等の固定具や、砂袋や土嚢等のウェイトでは、例えば、学校行事や他の競技が使用するためにサッカーゴールを移動するときに、杭やウェイトの取り外しや移動後の固定作業などが面倒であり、更に、杭やウェイトは重量があるので持ち運びにくく、時間と労力が必要であり、実用的ではない。
【先行技術文献】
【特許文献】
【０００７】
【特許文献１】特開平１０−１９２４６８号公報
【考案の概要】
【考案が解決しようとする課題】
【０００８】
本考案は、上記課題に鑑みてなされたものであり、設置したときの安定性に優れ、競技用ゴールの転倒を確実に防止することができ、取り付け及び取り外しが容易に行え、更に、持ち運びやすい競技用ゴール転倒防止ウェイトを提供することを目的とする。
【課題を解決するための手段】
【０００９】
上述した課題を解決するために本考案に係る競技用ゴール転倒防止ウェイトは、競技用ゴールの設置面と接するフレーム上に載置され、該競技用ゴールの転倒を防止する競技用ゴール転倒防止ウェイトにおいて、略直方体状に設けられた本体部と、上記本体部の底面に形成され、該本体部の底面と該本体部の底面の一方の短辺側の一側面と他方の短辺側の他側面とを開口して形成され、上記競技用ゴールの上記フレームと係合する係合凹部と、上記本体部の底面と対向する本体部の上面の上記一側面側に形成された取手部と、上記本体部の他側面に形成されたキャスタとを備え、上記取手部には、上記本体部の上面の上記一側面側に、上記係合凹部と連通する取手用開口部が形成され、該取手用開口部と該本体部の上面の該一側面側の端部との間に把持部が形成され、該把持部の内面には、上記フレームに該係合凹部が係合したときに、該把持部の内面と該フレームとの間に間隙を形成する空間部が該係合凹部と連続して形成されている。
【考案の効果】
【００１０】
本考案に係る競技用ゴール転倒防止ウェイトによれば、競技用ゴール転倒防止ウェイトが競技用ゴールの設置面と接するフレーム上に載置されたときに、本体部の底面に設けられた係合凹部が競技用ゴールの設置面と接するフレームと挟み込むように係合することで、競技用ゴールが強風やその他の外力が作用することで揺れ動いたとしても、競技用ゴール転倒防止ウェイトが設置面と接するフレームからずれたり外れたりすることを防止することができ、設置したときの安定性に優れ、確実に競技用ゴールの転倒を防止することができる。
【００１１】
また、本考案に係る競技用ゴール転倒防止ウェイトによれば、本体部の上面の一側面側に取手部が設けられているとともに、本体部の他側面にキャスタが取り付けられているので、持ち上げることなく、取手部を持ってキャスタで転がしながら容易に搬送することができる。
【図面の簡単な説明】
【００１２】
【図１】本考案が適用された競技用ゴール転倒防止ウェイトが競技用ゴールのフレーム上に載置された状態を示した斜視図である。
【図２】本考案が適用された競技用ゴール転倒防止ウェイトにおいてキャスタを外した状態を示した斜視図である。
【図３】本考案が適用された競技用ゴール転倒防止ウェイトを示した平面図である。
【図４】本考案が適用された競技用ゴール転倒防止ウェイトを示した側面図である。
【図５】本考案が適用された競技用ゴール転倒防止ウェイトにおいてキャスタを外した状態を示した正面図である。
【図６】本考案が適用された競技用ゴール転倒防止ウェイトの使用方法を示した斜視図である。
【考案を実施するための形態】
【００１３】
以下、本考案が適用された競技用ゴール転倒防止ウェイトについて、図面を参照しながら下記の順番で詳細に説明を行う。
【００１４】
１．競技用ゴール転倒防止ウェイトの構成
２．競技用ゴール転倒防止ウェイトの使用方法
３．競技用ゴール転倒防止ウェイトの作用効果
４．競技用ゴール転倒防止ウェイトの変形例
【００１５】
＜１．競技用ゴール転倒防止ウェイトの構成＞
図１に示すように、本考案が適用された競技用ゴール転倒防止ウェイト１は、主に、競技用ゴールであるサッカーゴール１００のクロスバー１０１及び左右のゴールポスト１０２，１０２の後方を支持する後方フレーム部材１０３のうちのグラウンド等の設置面に接する下フレーム１０４上に複数個載置されることで、強風又はその他の外力によって後方から作用されても、サッカーゴール１００が前方に転倒することを防止するためのものである。
【００１６】
具体的に、競技用ゴール転倒防止ウェイト１は、図２乃至図５に示すように、略直方体状に設けられた本体部２を備え、この本体部２に、サッカーゴール１００の下フレーム１０４と係合する係合凹部３と、取手として機能する取手部４ａ，４ｂと、キャスタ９，９とを備える。競技用ゴール転倒防止ウェイト１は、キャスタ９，９以外は鋳造によって一体に形成された鋳物であり、例えば質量が２０ｋｇとなるように設けられている。また、競技用ゴール転倒防止ウェイト１は、競技用ゴール転倒防止ウェイト１が下フレーム１０４上に載置されたときに、競技者等が容易に視認できるように、キャスタ９，９以外の表面が例えば白色に着色されている。なお、競技用ゴール転倒防止ウェイト１の質量は、設置する個数によって変更されるものであり、適宜変更可能である。更に、着色される色は、競技者等が容易に視認できるものであればよく、他の色でもよい。
【００１７】
図２に示すように、本体部２は、略直方体状に設けられている。なお、本実施の形態においては、本体部２の上面２ａに対向する面を底面２ｂとし、底面２ｂの一方の短辺側の側面を一側面２ｃとし、一側面２ｃと対向する他方の短辺側の側面を他側面２ｄとし、底面２ｂの一方の長辺側の側面を左側面２ｅとし、左側面２ｅと対向する他方の長辺側の側面を右側面２ｆとして説明する。
【００１８】
本体部２の底面２ｂには、図２に示すように、サッカーゴール１００の下フレーム１０４と係合する係合凹部３が形成されている。係合凹部３は、図３及び図４に示すように、本体部２の一側面２ｃと他側面２ｄとに亘って貫通して形成され、本体部２の底面２ｂ、一側面２ｃ、他側面２ｄとが開口されている。係合凹部３の断面は、競技用ゴール転倒防止ウェイト１が下フレーム１０４上に載置されたときに、下フレーム１０４を挟み込むように係合するように形成されている。具体的に、係合凹部３の断面は、図５に示すように、本実施の形態においては下フレーム１０４の断面が略円形状であるので、下フレーム１０４と略同径又はやや大きな径を有する曲面状の上壁部３ａと、この上壁部３ａと連続し、本体部２の底面２ｂと直交し平坦な下壁部３ｂとを有し、底面２ｂ側に開口された断面略Ｕ字状に形成されている。これにより、係合凹部３は、競技用ゴール転倒防止ウェイト１が下フレーム１０４上に載置されたときに、下フレーム１０４を挟み込むように係合し、競技用ゴール転倒防止ウェイト１が下フレーム１０４からずれたり外れたりすることを防止する。なお、係合凹部３の断面は、下フレーム１０４の断面が略矩形状であるとき、上壁部３ａを下フレーム１０４と略同等又はやや大きな同形の矩形状に設け、底面２ｂ側に開口された断面略コ字状に設けるようにしてもよい。
【００１９】
また、本体部２の上面２ａの一側面２ｃ側及び他側面２ｄ側には、図２に示すように、それぞれ取手部４ａ，４ｂが設けられている。取手部４ａは、図４に示すように、係合凹部３と連通する取手用開口部６ａと、取手用開口部６ａと本体部２の上面２ａの一側面２ｃ側の端部との間に形成された把持部７ａと、把持部７ａの内面に形成され、係合凹部３と連続する空間部５ａとからなる。取手部４ｂは、図４に示すように、係合凹部３と連通する取手用開口部６ｂと、取手用開口部６ｂと本体部２の上面２ａの他側面２ｄ側の端部との間に形成された把持部７ｂと、把持部７ｂの内面に形成され、係合凹部３と連続する空間部５ｂとからなる。
【００２０】
取手用開口部６ａ，６ｂは、図３に示すように、それぞれ、本体部２の上面２ａの短辺方向に向けて形成され、複数本の指を挿入できる程度の大きさの長孔である。把持部７ａ，７ｂは、例えば、競技用ゴール転倒防止ウェイト１を搬送するときや下フレーム１０４上に載置するときや下フレーム１０４から取り外すときに、設置作業者によって把持される。空間部５ａ，５ｂは、図４に示すように、競技用ゴール転倒防止ウェイト１が下フレーム１０４上に載置されたときに、把持部７ａ，７ｂの内面と下フレーム１０４との間に間隙８ａ，８ｂを有するように形成されている。具体的に、図５に示すように、把持部７ａ，７ｂの内面は、係合凹部３で最も高い頂点３ｃよりも高い位置に配置するように形成されており、間隙８ａ，８ｂは、図４に示すように、競技用ゴール転倒防止ウェイト１が下フレーム１０４上に載置された状態でも、本体部２の一側面２ｃ又は他側面２ｄ側から把持部７ａ，７ｂの内面と下フレーム１０４との間に設置作業者が手を入れることができるような大きさを有する。
【００２１】
これにより、設置作業者は、図６に示すように、取手部４ａの把持部７ａを把持して、競技用ゴール転倒防止ウェイト１を搬送することができる。また、設置作業者は、一人又は二人で取手部４ａ，４ｂの把持部７ａ，７ｂを把持して、競技用ゴール転倒防止ウェイト１を下フレーム１０４上に載置することができ、容易に競技用ゴール転倒防止ウェイト１を下フレーム１０４上に載置することができる。更に、このとき、把持部７ａ，７ｂの内面と下フレーム１０４との間の間隙８ａ，８ｂは、手を入れることができるような大きさを有しているので、設置作業者が把持部７ａ，７ｂの内面と下フレーム１０４との間で手を挟むことを防止することができる。更にまた、設置作業者は、図４に示すように、競技用ゴール転倒防止ウェイト１が下フレーム１０４上に載置された状態でも、本体部２の一側面２ｃ側又は他側面２ｄ側から間隙８ａ，８ｂに手を入れて取手部４ａ，４ｂの把持部７ａ，７ｂを内面側から把持することができ、容易に競技用ゴール転倒防止ウェイト１を下フレーム１０４から取り外すことができる。
【００２２】
また、本体部２の他側面２ｄには、図２に示すように、係合凹部３及び空間部５ｂの周囲に、キャスタ９，９を取り付けるための取付部１０が設けられている。取付部１０には、各キャスタ９のネジ部９ａが螺合されるネジ穴１１が形成されている。具体的に、取付部１０には、本体部２の左側面２ｅの近傍に１個、本体部２の右側面２ｆの近傍に１個、係合凹部３を中心に対称位置に形成されている。ネジ穴１１，１１には、図３に示すように、それぞれキャスタ９のネジ部９ａが螺合され、２個のキャスタ９，９が着脱可能に取り付けられている。なお、キャスタ９，９は、取付部１０に溶接や接着等で一体に取り付けてもよい。更に、ネジ穴１１，１１を、本体部２の一側面２ｃに形成し、キャスタ９，９を取り付ける側を選べるようにしてもよい。
【００２３】
更に、本体部２には、図２に示すように、本体部２の長辺方向の略中間部に、上面２ａ及び左側面２ｅからなるコーナ部と上面２ａ及び右側面２ｆからなるコーナ部とが曲面状に設けられた面取り部１２ａ，１２ｂと、面取り部１２ａ，１２ｂの長辺方向の一側面２ｃ側及び他側面２ｄ側に設けられた平坦部１３ａ，１３ｂと、本体部２の上面２ａに平坦部１３ａ，１３ｂ間に亘って設けられたラベル部１４とを有する。
【００２４】
面取り部１２ａ，１２ｂの長辺方向の一側面２ｃ側及び他側面２ｄ側に設けられた平坦部１３ａ，１３ｂは、図２に示すように、本体部の上面２ａ、底面２ｂ、左側面２ｅ、右側面２ｆの各面が平坦で、断面略矩形状に設けられており、上面２ａに上記取手部４ａ，４ｂが形成されている。更に、本体部２の底面２ｂには、図５に示すように、係合凹部３の周囲に支持部１５が設けられている。平坦部１３ａ，１３ｂは、断面が略矩形状に設けられており、本体部２の底面２ｂに設けられた係合凹部３より短辺方向に幅広に形成されているので、競技用ゴール転倒防止ウェイト１を倉庫等に積み上げて格納するときに、図５に示すような当該競技用ゴール転倒防止ウェイト１より上位に配置される他の競技用ゴール転倒防止ウェイト１の支持部１５が当接される。これにより、競技用ゴール転倒防止ウェイト１は、当該競技用ゴール転倒防止ウェイト１より上位に配置される他の競技用ゴール転倒防止ウェイト１を安定して積み上げることができる。更に、支持部１５は、競技用ゴール転倒防止ウェイト１を倉庫等に積み上げて格納するときに、図５に示すような当該競技用ゴール転倒防止ウェイト１より下位に配置される他の競技用ゴール転倒防止ウェイト１の平坦部１３ａ，１３ｂに当接する。これにより、競技用ゴール転倒防止ウェイト１は、当該競技用ゴール転倒防止ウェイト１より下位に配置される他の競技用ゴール転倒防止ウェイト１上に安定して積み上げることができる。
【００２５】
本体部２の上面２ａに平坦部１３ａ，１３ｂ間に亘って設けられたラベル部１４は、本体部２の上面２ａの短辺方向の略中央部に、本体部２の上面２ａの長辺方向に沿って平坦部１３ａ，１３ｂと面一となるように設けられており、競技用ゴール転倒防止ウェイト１の所有者の学校名等の名称や質量等を刻印したり、名称や質量等が記載されたラベルやプレート等が貼り付けられる。
【００２６】
平坦部１３ａ，１３ｂ間に設けられた面取り部１２ａ，１２ｂは、図２に示すように、平坦部１３ａ，１３ｂ間の上面２ａ及び左側面２ｅからなるコーナ部と上面２ａ及び右側面２ｆからなるコーナ部にそれぞれ設けられている。具体的に、面取り部１２ａは、平坦部１３ａ，１３ｂ間の本体部２の上面２ａと左側面２ｅとからなるコーナ部が曲面状に設けられて、一端がラベル部１４と連続されて、他端が左側面２ｅと連続されるように設けられている。面取り部１２ｂは、平坦部１３ａ，１３ｂ間の本体部２の上面２ａと右側面２ｆとからなるコーナ部が曲面状に設けられて、一端がラベル部１４と連続されて、他端が右側面２ｆと連続されるように設けられている。面取り部１２ａ，１２ｂは、競技者が転倒して競技用ゴール転倒防止ウェイト１に体を打ち付けたり、誤って蹴ってしまったりしたときに、角を無くして曲面状に設けられているので、怪我が生じ難くすることができる。
【００２７】
＜２．競技用ゴール転倒防止ウェイトの使用方法＞
次に、以上のような構成を有する競技用ゴール転倒防止ウェイト１の使用方法について説明する。
【００２８】
本考案が適用された競技用ゴール転倒防止ウェイト１は、サッカーゴール１００まで搬送するにあたっては、図６に示すように、取手部４ａの把持部７ａを持ってキャスタ９で転がしながら搬送される。次いで、競技用ゴール転倒防止ウェイト１は、取手部４ａ，４ｂの把持部７ａ，７ｂを持って持ち上げられた後に、図４に示すように、サッカーゴール１００の下フレーム１０４上に、係合凹部３が下フレーム１０４を挟み込むように係合するように、載置される。同様に、競技用ゴール転倒防止ウェイト１は、図１に示すように、下フレーム１０４の左ゴールポスト１０２側、右ゴールポスト１０２側及び略中央部上に３個載置される。
【００２９】
なお、載置個数は、サッカーゴール１００の種類や重さ、設置面の安定性等によって変更されるものであり、適宜変更可能である。
【００３０】
＜３．競技用ゴール転倒防止ウェイトの作用効果＞
本考案が適用された競技用ゴール転倒防止ウェイト１は、サッカーゴール１００の下フレーム１０４上に載置されたときに、本体部２の底面２ｂに設けられた係合凹部３が、下フレーム１０４を挟み込むように係合することで、サッカーゴール１００が強風やその他の外力が作用することで揺れ動いたとしても、載置個所の下フレーム１０４からずれたり外れたりすることを防止することができ、設置した際の安定性に優れ、確実にサッカーゴール１００の転倒を防止することができる。
【００３１】
更に、本考案に係る競技用ゴール転倒防止ウェイト１は、本体部２の上面２ａの一側面２ｃに取手部４ａが設けられているとともに、本体部２の他側面２ｄにキャスタ９が取り付けられているので、持ち上げることなく、図６に示すように、取手部４ａの把持部７ａを持ってキャスタ９で転がしながら容易に搬送することができる。
【００３２】
＜４．競技用ゴール転倒防止ウェイトの変形例＞
なお、本考案が適用された競技用ゴール転倒防止ウェイト１は、サッカーゴールに適用するものに限定されるものではなく、競技用ゴールであれば如何なるものでもよく、サッカーゴールの他に、バスケットゴール、ハンドボールゴール、フットサルゴール及びポロゴール等に適用するものでもよい。
【符号の説明】
【００３３】
１  競技用ゴール転倒防止ウェイト、２  本体部、２ａ  上面、２ｂ  底面、２ｃ  一側面、２ｄ  他側面、２ｅ  左側面、２ｆ  右側面、３  係合凹部、４ａ  取手部、４ｂ  取手部、５ａ  空間部、５ｂ  空間部、６ａ  取手用開口部、６ｂ  取手用開口部、７ａ  把持部、７ｂ  把持部、８ａ  間隙、８ｂ  間隙、９  キャスタ、１０  取付部、１２  面取り部、１３ａ  平坦部、１３ｂ  平坦部、１４  ラベル部、１５  支持部、１００  サッカーゴール、１０１  クロスバー、１０２  ゴールポスト、１０３  後方フレーム部材、１０４  下フレーム
【図１】
0003164268.tif 000003
【図２】
0003164268.tif 000004
【図３】
0003164268.tif 000005
【図４】
0003164268.tif 000006
【図５】
0003164268.tif 000007
【図６】
0003164268.tif 000008